(57)【要約】【課題】印刷済みの媒体を廃棄処理する前に中間保存部に一時的に保存することによって、印刷されたデータの内容が他人に知られることを防止することができ、かつ、印刷済みの媒体を無用に廃棄処理することを防止することができ、ランニングコストの低減及び省資源化を達成することができるようにする。【解決手段】データを受信し媒体上に印刷する印刷装置であって、前記データを印刷する印刷部と、該印刷部で印刷した媒体を蓄積する蓄積部と、該蓄積部から搬出された媒体を一時的に保存する中間保存部と、該中間保存部から搬出されて廃棄処理された媒体を蓄積する廃棄部と、前記媒体の情報を通知する通知部とを有する。【選択図】図１
2013228644.tif 000002
【特許請求の範囲】
【請求項１】
データを受信し媒体上に印刷する印刷装置であって、
前記データを印刷する印刷部と、
該印刷部で印刷した媒体を蓄積する蓄積部と、
該蓄積部から搬出された媒体を一時的に保存する中間保存部と、
該中間保存部から搬出されて廃棄処理された媒体を蓄積する廃棄部と、
前記媒体の情報を通知する通知部とを有することを特徴とする印刷装置。
【請求項２】
前記媒体の情報は、前記媒体を蓄積部から搬出して中間保存部に一時的に保存すること、又は、前記媒体を中間保存部から搬出して廃棄処理することに関する情報であり、前記通知部によって事前に通知される請求項１に記載の印刷装置。
【請求項３】
時間を計時する計時手段を有し、
該計時手段の計時結果に基づき、前記媒体を蓄積部から搬出して中間保存部に一時的に保存、又は、前記媒体を中間保存部から搬出して廃棄処理する請求項１又は２に記載の印刷装置。
【請求項４】
前記媒体を破砕する破砕部を有し、
該破砕部は、前記中間保存部から搬出された媒体を破砕して廃棄処理する請求項１〜３のいずれか１項に記載の印刷装置。
【請求項５】
前記通知部は、前記媒体を蓄積部から搬出して中間保存部に一時的に保存する前に第１の予告通知を行い、前記媒体を中間保存部から搬出して廃棄処理する前に第２の予告通知を行う請求項１〜４のいずれか１項に記載の印刷装置。
【請求項６】
媒体の画像を読み取る画像読み取り部を有し、
該画像読み取り部によって画像が読み取られた媒体は、前記中間保存部で一時的に保存される請求項１〜５のいずれか１項に記載の印刷装置。
【請求項７】
前記画像読み取り部によって前記媒体の画像を繰り返し読み取ることができる請求項６に記載の印刷装置。
【発明の詳細な説明】
【技術分野】
【０００１】
本発明は、印刷装置に関するものである。
【背景技術】
【０００２】
従来、ネットワークに接続された印刷装置においては、前記ネットワークを介してパーソナルコンピュータ等の上位装置から受信した印刷データを媒体に印刷するようになっている。このような印刷装置は、複数のユーザが使用するので、印刷済みの媒体を長時間に亘（わた）って放置しておくことはセキュリティ上の問題がある。
【０００３】
そこで、印刷してから所定時間が経過すると、印刷済みの媒体を自動的にシュレッダで廃棄処分する印刷装置が提案されている。また、シュレッダで廃棄処分する前に、ユーザに前記媒体に関する廃棄情報を通知する印刷装置も提案されている。さらに、スキャナ機能付きの印刷装置であって、原稿をスキャナで読み取ってデータを保存した後に、読み取り済みの原稿をシュレッダで廃棄処分する印刷装置も提案されている（例えば、特許文献１参照。）。
【先行技術文献】
【特許文献】
【０００４】
【特許文献１】特開２００７−５８６７３号公報
【発明の概要】
【発明が解決しようとする課題】
【０００５】
しかしながら、前記従来の印刷装置においては、廃棄情報をユーザに通知しても、不在等の理由によって、通知後に所定の時間が経過してもユーザが印刷済みの媒体を取りに来なければ、該媒体をシュレッダで廃棄処分するようになっているので、印刷済みの媒体が無駄になってしまうという問題がある。もっとも、通知してから印刷済みの媒体をシュレッダで廃棄処分する時間を長くすればこのような問題が発生しないが、この場合には、印刷済みの媒体が長時間に亘って放置されるので、セキュリティ上の問題がある。
【０００６】
また、スキャナ機能付きの印刷装置の場合、読み取り済みの原稿をシュレッダで廃棄処分するようになっているので、スキャナで読み取ったデータが、薄かったり、斜めであったりして低品質であっても、読み取りをやり直すことができないという問題がある。
【０００７】
本発明は、前記従来の印刷装置の問題点を解決して、印刷済みの媒体を廃棄処理する前に中間保存部に一時的に保存することによって、印刷されたデータの内容が他人に知られることを防止することができ、かつ、印刷済みの媒体を無用に廃棄処理することを防止することができ、ランニングコストの低減及び省資源化を達成することができる印刷装置を提供することを目的とする。
【課題を解決するための手段】
【０００８】
そのために、本発明の印刷装置においては、データを受信し媒体上に印刷する印刷装置であって、前記データを印刷する印刷部と、該印刷部で印刷した媒体を蓄積する蓄積部と、該蓄積部から搬出された媒体を一時的に保存する中間保存部と、該中間保存部から搬出されて廃棄処理された媒体を蓄積する廃棄部と、前記媒体の情報を通知する通知部とを有する。
【発明の効果】
【０００９】
本発明によれば、印刷装置は、印刷済みの媒体を廃棄処理する前に中間保存部に一時的に保存する。これにより、印刷されたデータの内容が他人に知られることを防止することができる。また、印刷済みの媒体を無用に廃棄処理することを防止することができ、ランニングコストの低減及び省資源化を達成することができる。
【図面の簡単な説明】
【００１０】
【図１】本発明の第１の実施の形態におけるプリンタの構成を示す概略図である。
【図２】本発明の第１の実施の形態におけるネットワークシステムの構成を示す図である。
【図３】本発明の第１の実施の形態におけるプリンタの構成を機能の観点から示すブロック図である。
【図４】本発明の第１の実施の形態におけるプリンタの動作を示すフローチャートである。
【図５】本発明の第２の実施の形態におけるネットワークシステムの構成を示す図である。
【図６】本発明の第２の実施の形態におけるプリンタの構成を機能の観点から示すブロック図である。
【図７】本発明の第２の実施の形態におけるプリンタの構成を示す概略図である。
【図８】本発明の第２の実施の形態におけるプリンタの動作を示すフローチャートである。
【発明を実施するための形態】
【００１１】
以下、本発明の実施の形態について図面を参照しながら詳細に説明する。
【００１２】
図２は本発明の第１の実施の形態におけるネットワークシステムの構成を示す図である。
【００１３】
図において、１２はネットワークであり、印刷装置としてのプリンタ２０、並びに、該プリンタ２０の上位装置として、上位装置１１ａ、１１ｂ及び１１ｃが接続されている。該上位装置１１ａ、１１ｂ及び１１ｃは、例えば、パーソナルコンピュータであるが、印刷データを作成し、該印刷データをネットワーク１２を介してプリンタ２０に送信することができる装置であれば、いかなる種類の装置であってもよい。なお、前記上位装置１１ａ、１１ｂ及び１１ｃを統合的に説明する場合には、上位装置１１として説明する。図に示される例において、上位装置１１は３台であるが、上位装置１１の数はいくつであってもよい。
【００１４】
ここで、前記ネットワーク１２は、例えば、ＬＡＮ（Ｌｏｃａｌ  Ａｒｅａ  Ｎｅｔｗｏｒｋ）であるが、無線又は有線の通信回線網であれば、イントラネット、インターネット、ＷＡＮ（Ｗｉｄｅ  Ａｒｅａ  Ｎｅｔｗｏｒｋ）等であってもよく、いかなる通信回線網であってもよい。また、前記プリンタ２０は、インクジェット式、電子写真式、熱転写式等いかなる種類の印刷装置であってもよい。なお、前記プリンタ２０には、中間保存部としての多機能中間ボックス２８、及び、廃棄部としての廃棄ボックス２９が装着されている。多機能中間ボックス２８は、最終指示を待ち受けるため、廃棄対象の媒体を一時的に退避させて保存するための容器であり、廃棄ボックス２９は、廃棄処理された媒体を格納し蓄積する容器である。
【００１５】
次に、前記プリンタ２０の構成を機能の観点から説明する。
【００１６】
図３は本発明の第１の実施の形態におけるプリンタの構成を機能の観点から示すブロック図である。
【００１７】
図に示されるように、プリンタ２０は、ネットワーク１２に対してデータを送受信する送受信部２１、プリンタ２０の内部制御を行う制御部２２、プリンタ２０から上位装置１１に対して媒体排出トレイ２７上の媒体の廃棄情報のような媒体の情報を通知する通知部２３、時間を計時する計時手段としてのタイマー２４、プリンタ２０内部に印刷データの送信元を識別するための情報を格納する識別情報用メモリ２５、印刷データを解析して印刷を行う印刷部２６、印刷結果である後述される印刷済み媒体３３を蓄積するための蓄積部としての媒体排出トレイ２７、該媒体排出トレイ２７から多機能中間ボックス２８へ廃棄対象の印刷済み媒体３３を搬送するために、後述される廃棄媒体排出ローラ３７を駆動する廃棄媒体排出ローラ駆動部３１、情報漏洩（えい）を防止しつつ、最終指示を待ち受けるために、廃棄対象の印刷済み媒体３３を一時的に蓄積して保存する多機能中間ボックス２８、廃棄すべき印刷済み媒体３３としての廃棄媒体を破砕して廃棄処理する後述されるシュレッダ部４２を駆動するシュレッダ駆動部３２、及び、シュレッダ部４２によって破砕された媒体を蓄積するための廃棄部としての廃棄ボックス２９を有する。なお、前記送受信部２１はネットワーク１２に接続されている。
【００１８】
そして、前記制御部２２は、通知部２３に対する上位装置１１への情報通知指示、タイマー２４の監視、識別情報用メモリ２５への識別情報の書き込み処理、読み出し処理及びデータ削除処理、印刷部２６への印刷指示、廃棄媒体排出ローラ駆動部３１への媒体排出トレイ２７から多機能中間ボックス２８への廃棄媒体搬送指示、並びに、シュレッダ駆動部３２への廃棄媒体破砕指示を行う。なお、制御部２２がタイマー２４に設定する計測時間には、印刷完了時から上位装置１１に対して廃棄予告通知を送信するまでの時間Ｘ、廃棄予告通知を送信してから印刷済み媒体３３が多機能中間ボックス２８に搬送されるまでの時間Ｙ、及び、ユーザからの応答がなく、印刷済み媒体３３がシュレッダ部４２によって破砕されるまでの時間Ｚが含まれる。
【００１９】
また、ユーザは、前記時間Ｘ、Ｙ及びＺの値として、秒、分、時及び日の単位で、任意の値を事前に設定することができる。なお、前記時間Ｘ、Ｙ及びＺの値を設定する方法としては、上位装置１１を操作し、タイマー設定コマンドを使用して設定する方法、及び、プリンタメニュー上に用意されたタイマー設定項目に指定の数値を直接入力して設定する方法がある。
【００２０】
次に、前記プリンタ２０の機械的構成を説明する。ここでは、プリンタ２０が電子写真式のカラープリンタである場合について説明する。
【００２１】
図１は本発明の第１の実施の形態におけるプリンタの構成を示す概略図である。
【００２２】
本実施の形態におけるプリンタ２０は、図に示されるような構成を有する。図に示されるように、例えば、ブラック（Ｋ）、イエロー（Ｙ）、マゼンタ（Ｍ）及びシアン（Ｃ）の各色に対応する画像形成ユニット３８が、媒体の搬送方向（図における左方向）に沿って順次並ぶように配設される。
【００２３】
前記画像形成ユニット３８の各々は、表面に静電潜像を形成し、該静電潜像によってトナーを吸着させる感光体ドラム、該感光体ドラムの表面を帯電させる帯電ローラ、帯電した感光体ドラムの表面を選択的に露光して静電潜像を形成するＬＥＤ（Ｌｉｇｈｔ  Ｅｍｉｔｔｉｎｇ  Ｄｉｏｄｅ）ヘッド、感光体ドラム上の静電潜像を、トナーを付着することによって現像する現像部、感光体ドラム上で転写されずに残ったトナーを回収するクリーニング部等を備える。なお、前記画像形成ユニット３８の下方には、転写ベルトユニット３５が配設され、該転写ベルトユニット３５の下方には、媒体トレイ３４が配設されている。そして、該媒体トレイ３４内には、印刷用紙等のカットシートである未印刷媒体３３ａが堆（たい）積した状態で収容されている。
【００２４】
ここで、前記制御部２２から印刷指示があると、媒体トレイ３４に収容された未印刷媒体３３ａは、１枚ずつ繰り出されて媒体搬送路３６に送り込まれ、転写ベルトユニット３５の搬送ベルトに送られる。該搬送ベルトに送られた媒体は、図示されない吸着装置によって静電荷が付与され、搬送ベルトに静電気力により吸着された後、搬送ベルトにより搬送される。その間に、各画像形成ユニット３８では、感光体ドラムの表面にＬＥＤヘッドによって形成された静電潜像がトナーにより現像され、ブラック、イエロー、マゼンタ及びシアンのトナー像が形成される。
【００２５】
そして、該ブラック、イエロー、マゼンタ及びシアンのトナー像が、転写ベルトユニット３５が備える転写ローラの静電気力によって感光体ドラムの表面から未印刷媒体３３ａに転写され、カラーのトナー像が形成される。該カラーのトナー像が転写された未印刷媒体３３ａは、その後、定着器に送られ、該定着器の加熱ローラと加圧ローラとの間を通過し、その間にカラーのトナー像が定着され、カラー画像が記録される。そして、該カラー画像が記録された媒体である印刷済み媒体３３は、プリンタ２０本体の上部に形成された媒体排出トレイ２７に排出される。なお、該媒体排出トレイ２７の下部には廃棄媒体排出ローラ３７が配設され、印刷済み媒体３３は廃棄媒体排出ローラ３７上に蓄積される。
【００２６】
ここで、制御部２２が廃棄媒体搬送指示を行うと、廃棄媒体排出ローラ駆動部３１が廃棄媒体排出ローラ３７を駆動するので、これにより、印刷済み媒体３３は、廃棄対象媒体として、媒体排出トレイ２７から排出されて多機能中間ボックス２８内に搬送される。該多機能中間ボックス２８には、ピンチローラ等を備えるシュレッダ搬送部４１が配設され、さらに、該シュレッダ搬送部４１の下方には、破砕ローラ等を備える破砕部としてのシュレッダ部４２及び廃棄ボックス２９が配設されている。そして、制御部２２が廃棄媒体破砕指示を行うと、シュレッダ駆動部３２が、前記シュレッダ搬送部４１及びシュレッダ部４２を駆動するので、これにより、多機能中間ボックス２８に一時的に保存された印刷済み媒体３３は、多機能中間ボックス２８から搬出されて廃棄処理される。すなわち、破砕される。前記シュレッダ部４２によって破砕された印刷済み媒体３３は、廃棄媒体４３として廃棄ボックス２９内に格納され、蓄積される。
【００２７】
なお、ユーザの応答があった場合には、制御部２２は廃棄媒体破砕指示を行わず、印刷済み媒体３３を媒体排出トレイ２７に戻す旨の指示を行う。これにより、多機能中間ボックス２８に一時的に保存された印刷済み媒体３３は、媒体排出トレイ２７に戻される。
【００２８】
次に、前記構成のプリンタ２０の動作について説明する。ここでは、プリンタ２０がデータを受信したときの動作について説明する。
【００２９】
図４は本発明の第１の実施の形態におけるプリンタの動作を示すフローチャートである。
【００３０】
まず、プリンタ２０の送受信部２１が上位装置１１からデータを受信すると、制御部２２は識別情報割り出しを行い、受信したデータから上位装置１１のコンピュータ名、上位装置１１のＭＡＣ（Ｍｅｄｉａ  Ａｃｃｅｓｓ  Ｃｏｎｔｒｏｌ）アドレス、及び、印刷元データのファイル名（以下「識別情報」という。）を割り出す。前記上位装置１１からのデータは、印刷データに加えてヘッダ情報を含み、該ヘッダ情報の中に上位装置１１のコンピュータ名、ＭＡＣアドレス等の情報が格納されている。
【００３１】
続いて、制御部２２が受信したデータを印刷部２６に渡すと、該印刷部２６は前記データを解析し、印刷データの印刷を行う。そして、印刷データが印刷された媒体、すなわち、印刷済み媒体３３は、媒体搬送路３６を経由して搬送され、媒体排出トレイ２７に排出される。また、前記制御部２２は、印刷処理が完了すると、先に取得した識別情報を識別情報用メモリ２５に登録する。前記識別情報と上位装置１１とは１対１で対応し、前記識別情報からデータ送信元のＭＡＣアドレスが判るので、印刷済み媒体３３の廃棄予告通知の送付先を特定することができる。なお、識別情報は、上位装置１１から受信した順番で、識別情報用メモリ２５に登録される。
【００３２】
続いて、前記制御部２２は、識別情報を登録した後、事前にユーザによって設定されたタイマー値Ｘをタイマー２４に設定する。続いて、前記制御部２２は、タイマー値Ｘが経過したか否かの判断を繰り返し、タイマー２４に設定された一定時間、すなわち、タイマー値Ｘが経過するまでは待機状態となる。
【００３３】
続いて、前記タイマー２４に設定されたタイマー値Ｘが経過すると、制御部２２は、識別情報用メモリ２５の内容を確認し、識別情報が存在するか否かを判断する。そして、識別情報が存在しない場合は、印刷済み媒体３３が媒体排出トレイ２７に存在しないとみなして、処理を終了する。また、識別情報が存在する場合は制御を通知部２３に移し、識別情報に基づき、データの送信元に対して印刷済み媒体３３のファイル名情報、及び、第１の予告通知としての第１の廃棄予告通知を送信する。
【００３４】
この場合、通知部２３は、上位装置１１に送信するための情報を準備する。該情報は、識別情報用メモリ２５に登録された識別情報に基づいて選択された警告対象となる上位装置１１に対する情報、プリンタ２０の装置名及びＩＰ（Ｉｎｔｅｒｎｅｔ  Ｐｒｏｔｏｃｏｌ）アドレス情報等を含むものである。そして、プリンタ２０からＭＡＣアドレスに対応する上位装置１１に第１の廃棄予告通知としての警告メッセージを送信する。これにより、上位装置１１の表示装置には前記警告メッセージが表示される。
【００３５】
続いて、前記制御部２２は、第１の廃棄予告通知を送信した直後に、タイマー値Ｙをタイマー２４に設定する。そして、制御部２２は、タイマー値Ｙが経過したか否かの判断を繰り返し、タイマー２４に設定された一定時間、すなわち、タイマー値Ｙが経過するまでは待機状態となる。
【００３６】
続いて、前記タイマー２４に設定されたタイマー値Ｙが経過すると、制御部２２は、廃棄媒体排出ローラ駆動部３１への媒体排出トレイ２７から多機能中間ボックス２８への廃棄媒体搬送指示を行う。すると、廃棄媒体排出ローラ駆動部３１が、媒体排出トレイ２７に配設された廃棄媒体排出ローラ３７を駆動する。これにより、印刷済み媒体３３が媒体排出トレイ２７から多機能中間ボックス２８に搬送される。
【００３７】
そして、制御部２２は、制御を通知部２３に移し、第２の予告通知としての第２の廃棄予告通知を送信する。これにより、プリンタ２０から上位装置１１に第２の廃棄予告通知としての警告メッセージが送信される。該警告メッセージは、第１の廃棄予告通知としての警告メッセージと同一の内容であってもよいし、異なる内容であってもよい。
【００３８】
続いて、前記制御部２２は、第２の廃棄予告通知を送信した直後に、タイマー値Ｚをタイマー２４に設定する。そして、制御部２２は、タイマー値Ｚが経過したか否かの判断を繰り返し、タイマー２４に設定された一定時間、すなわち、タイマー値Ｚが経過するまでは待機状態となる。
【００３９】
続いて、前記タイマー値Ｚが経過すると、制御部２２は、シュレッダ駆動部３２への廃棄媒体破砕指示を行う。すると、シュレッダ駆動部３２が、シュレッダ搬送部４１及びシュレッダ部４２を駆動する。これにより、多機能中間ボックス２８に一時的に保存された印刷済み媒体３３は破砕され、処理が終了する。なお、前記シュレッダ部４２によって破砕された印刷済み媒体３３は、廃棄媒体４３として廃棄ボックス２９内に格納され、蓄積される。
【００４０】
次に、フローチャートについて説明する。
ステップＳ１  データを受信する。
ステップＳ２  識別情報を割り出す。
ステップＳ３  データを解析する。
ステップＳ４  印刷を行う。
ステップＳ５  識別情報用メモリ２５に登録する。
ステップＳ６  タイマー値Ｘを設定する。
ステップＳ７  タイマー値Ｘが経過したか否かを判断する。タイマー値Ｘが経過した場合はステップＳ８に進み、タイマー値Ｘが経過していない場合は待機する。
ステップＳ８  識別情報が存在するか否かを判断する。識別情報が存在する場合はステップＳ９に進み、識別情報が存在しない場合は処理を終了する。
ステップＳ９  第１の廃棄予告通知を送信する。
ステップＳ１０  タイマー値Ｙを設定する。
ステップＳ１１  タイマー値Ｙが経過したか否かを判断する。タイマー値Ｙが経過した場合はステップＳ１２に進み、タイマー値Ｙが経過していない場合は待機する。
ステップＳ１２  印刷済み媒体３３が多機能中間ボックス２８に搬送される。
ステップＳ１３  第２の廃棄予告通知を送信する。
ステップＳ１４  タイマー値Ｚを設定する。
ステップＳ１５  タイマー値Ｚが経過したか否かを判断する。タイマー値Ｚが経過した場合はステップＳ１６に進み、タイマー値Ｚが経過していない場合は待機する。
ステップＳ１６  印刷済み媒体３３を破砕し、処理を終了する。
【００４１】
このように、本実施の形態においては、多機能中間ボックス２８が配設され、媒体排出トレイ２７に排出されて所定の時間が経過した印刷済み媒体３３は、媒体排出トレイ２７から搬出されて多機能中間ボックス２８に搬送されるようになっている。したがって、必要以上に印刷結果である印刷済み媒体３３が媒体排出トレイ２７上に放置されることがなくなり、情報漏洩を防止することができる。また、ユーザが第１の廃棄予告通知を見逃しても、印刷済み媒体３３を、直ちに破砕することなく、多機能中間ボックス２８に一時的に保存するので、同じ印刷データを２度印刷する必要がなく、プリンタ２０のランニングコストを抑え、資源の無駄遣いを防止することができる。
【００４２】
次に、本発明の第２の実施の形態について説明する。なお、第１の実施の形態と同じ構造を有するものについては、同じ符号を付与することによって、その説明を省略する。また、前記第１の実施の形態と同じ動作及び同じ効果についても、その説明を省略する。
【００４３】
図５は本発明の第２の実施の形態におけるネットワークシステムの構成を示す図、図６は本発明の第２の実施の形態におけるプリンタの構成を機能の観点から示すブロック図、図７は本発明の第２の実施の形態におけるプリンタの構成を示す概略図である。
【００４４】
本実施の形態において、プリンタ２０は、コピー、プリント、ファクシミリ、スキャン等の機能を備える複合型プリンタ（ＭＦＰ：Ｍｕｌｔｉ  Ｆｕｎｃｔｉｏｎ  Ｐｒｉｎｔｅｒ）であって、図５に示されるように、スキャナユニット４４を有し、前記第１の実施の形態と同様に、ネットワーク１２に接続されている。
【００４５】
前記スキャナユニット４４は、図７に示されるように、画像読み取りの対象となる媒体としての原稿５１を載置する原稿トレイ４６と、ＣＣＤ（Ｃｈａｒｇｅ  Ｃｏｕｐｌｅｄ  Ｄｅｖｉｃｅ：電荷結合素子）等の撮像素子を備え、原稿５１の画像を読み取る画像読み取り部としてのスキャナ部４５とを含んでいる。
【００４６】
また、本実施の形態におけるプリンタ２０は、機能の観点から、図６に示されるような構成を有する。すなわち、送受信部２１、制御部２２、通知部２３、原稿トレイ４６、スキャナ部４５、多機能中間ボックス２８、シュレッダ駆動部３２及び廃棄ボックス２９を有する。なお、前記通知部２３は、上位装置１１に対してスキャン通知を行う。また、前記制御部２２は、スキャナ部４５に対する原稿読み取り指示、通知部２３に対する上位装置１１への情報通知指示、スキャンした情報の送信、並びに、スキャナユニット４４から多機能中間ボックス２８及び廃棄ボックス２９への媒体搬送指示を行う。なお、図６において、タイマー２４、識別情報用メモリ２５、印刷部２６、媒体排出トレイ２７及び廃棄媒体排出ローラ駆動部３１の図示は、省略されている。
【００４７】
そして、前記制御部２２がスキャナ部４５に対する原稿読み取り指示を行うと、原稿トレイ４６上にセットされた原稿５１は、スキャナ部４５に送り込まれ、該スキャナ部４５を通過する際にその画像を読み取られ、すなわち、スキャンされ、多機能中間ボックス２８に排出され、廃棄対象媒体として、一時的に保存される。スキャンされたデータは、ネットワーク１２を通じて上位装置１１に送付される。
【００４８】
なお、多機能中間ボックス２８に一時的に保存された原稿は、ユーザの応答によって、再度スキャンされるか、又は、破砕される。具体的には、制御部２２が廃棄媒体破砕指示を行うと、シュレッダ駆動部３２が、前記シュレッダ搬送部４１及びシュレッダ部４２を駆動するので、これにより、多機能中間ボックス２８に一時的に保存された原稿５１は破砕される。前記シュレッダ部４２によって破砕された原稿５１は、廃棄媒体４３として廃棄ボックス２９内に格納され、蓄積される。
【００４９】
次に、本実施の形態におけるプリンタ２０の動作について説明する。ここでは、原稿５１をスキャンする場合の動作について説明する。
【００５０】
図８は本発明の第２の実施の形態におけるプリンタの動作を示すフローチャートである。
【００５１】
まず、原稿５１が原稿トレイ４６にセットされ、制御部２２がスキャナ部４５に対する原稿読み取り指示を行うと、前記原稿５１はスキャナ部４５に送り込まれ、該スキャナ部４５を通過する際にスキャンされる。すなわち、原稿スキャンが行われる。そして、スキャンされた原稿５１は、搬送されて多機能中間ボックス２８に排出され、一時的に保存される。
【００５２】
続いて、前記スキャナ部４５がスキャンしたデータは、送受信部２１によって上位装置１１に送信される。すると、ユーザは、上位装置１１の表示装置に表示されたデータを確認し、該データ、すなわち、スキャン結果が良好であるか否かを判断する。そして、スキャン結果が良好である場合、シュレッダ駆動部３２が、シュレッダ搬送部４１及びシュレッダ部４２を駆動する。これにより、多機能中間ボックス２８に一時的に保存されている原稿５１は破砕され、処理が終了する。なお、前記シュレッダ部４２によって破砕された原稿５１は、廃棄媒体４３として廃棄ボックス２９内に格納され、蓄積される。
【００５３】
また、スキャン結果が良好であるか否かを判断して不良である場合、原稿５１が原稿トレイ４６に再びセットされ、再度原稿スキャンが行われる。
【００５４】
続いて、前記スキャナ部４５がスキャンしたデータは、送受信部２１によって上位装置１１に送信される。すると、ユーザは、上位装置１１の表示装置に表示されたデータを確認し、スキャン結果が良好であるか否かを判断する。そして、スキャン結果が良好である場合、多機能中間ボックス２８に一時的に保存されている原稿５１は破砕され、処理が終了する。
【００５５】
また、スキャン結果が良好であるか否かを判断して不良である場合、原稿５１が原稿トレイ４６に再びセットされ、再度原稿スキャンが行われ、以降の動作が繰り返される。
【００５６】
次に、フローチャートについて説明する。
ステップＳ２１  原稿スキャンを行う。
ステップＳ２２  原稿５１を多機能中間ボックス２８に搬送する。
ステップＳ２３  データを上位装置１１に送信する。
ステップＳ２４  スキャン結果が良好であるか否かを判断する。スキャン結果が良好である場合はステップＳ２８に進み、スキャン結果が不良である場合はステップＳ２５に進む。
ステップＳ２５  再度原稿スキャンを行う。
ステップＳ２６  データを上位装置１１に送信する。
ステップＳ２７  スキャン結果が良好であるか否かを判断する。スキャン結果が良好である場合はステップＳ２８に進み、スキャン結果が不良である場合はステップＳ２５に戻る。
ステップＳ２８  原稿５１を破砕し、処理を終了する。
【００５７】
このように、本実施の形態においては、多機能中間ボックス２８が配設され、スキャナ部４５がスキャンしたデータが、薄かったり、斜めであったりして、良好でない場合、遠隔操作によって何度も原稿５１のスキャンを繰り返すことができる。また、不要となった原稿５１は、そのまま破砕されるので、手間を省くことができるとともに、情報漏洩を防止することができる。
【００５８】
なお、前記第１の実施の形態においては、印刷装置がプリンタ２０である場合について説明したが、印刷装置は、ＭＦＰ、複写装置等のように、印刷済み媒体３３の排出トレイを備えるものであってもよい。さらに、前記第２の実施の形態においては、印刷装置がＭＦＰである場合について説明したが、印刷装置は、原稿を読み取る機能（スキャン機能）を備えるものであれば、必ずしもＭＦＰである必要はなく、いかなる種類の印刷装置であってもよい。
【００５９】
また、本発明は前記実施の形態に限定されるものではなく、本発明の趣旨に基づいて種々変形させることが可能であり、それらを本発明の範囲から排除するものではない。
【産業上の利用可能性】
【００６０】
本発明は、印刷装置に利用することができる。
【符号の説明】
【００６１】
２０    プリンタ
２３    通知部
２４    タイマー
２６    印刷部
２７    媒体排出トレイ
２８    多機能中間ボックス
２９    廃棄ボックス
４２    シュレッダ部
４５    スキャナ部
【図１】
2013228644.tif 000003
【図２】
2013228644.tif 000004
【図３】
2013228644.tif 000005
【図４】
2013228644.tif 000006
【図５】
2013228644.tif 000007
【図６】
2013228644.tif 000008
【図７】
2013228644.tif 000009
【図８】
2013228644.tif 000010